(57)【要約】【目的】この発明はトイレや洗面所などの床面に設置される水封防臭式ワントラップ型排水機構における、悪臭の逆流や虫の潜入など、特に環境的に不潔になりやすい汚染箇所の環境向上を目的とし、水封防臭式ワントラップの水が減少し水封防臭、防虫機能が無くなる前に液を自動的に供給する補充液タンク型ワントラップに関するものである。【構成】トイレや洗面所などの床面などに設置される水封防臭式ワントラップの防臭ワン２の上部を液体入れタンク構造として、その液体入れタンク４からトラップ皿６下部へ液体を供給する液体供給路５を有して、水封用の水が少なくなったら液体入れタンク４の液体供給路５からトラップ皿６へ自動的に液を補充する基本システムである。【選択図】　図１
2004132151.tif 000002
【特許請求の範囲】
【請求項１】
トイレや洗面所などの床面などに設置される水封防臭式ワントラップの防臭ワン２の上部を液体入れタンク構造として、その液体入れタンク４からトラップ皿６下部へ液を供給する液体供給路５を有した基本構成で、トラップ皿６の水封用の水が減少したら液体入れタンク４から液体供給路５を通って自動的に液体を補充するシステムの補充液タンク型ワントラップ。
【請求項２】
水封防臭式ワントラップ型排水機構において、防臭ワン２の上部を液体入れタンク構造として、その液体入れタンク４から液体をトラップ皿６下部へ供給する液体供給路５を有し、液体供給路５の排出口は防臭ワン２の下端より若干上位置で、トラップ皿６の水が減少し水封機能が無くなる前に液体を供給可能とする位置として、液体入れタンク４の天井部には補充液体の注入口と、その密閉蓋３を有した基本構成の補充液タンク型ワンラップ。
【発明の詳細な説明】
【０００１】
【発明の属する技術分野】
この発明はトイレや洗面所などの床面に設置される水封防臭式ワントラップ型排水機構における、悪臭の逆流や虫の潜入など、特に環境的に不潔になりやすい汚染箇所の環境向上を目的とし、水封防臭式ワントラップの水が減少し水封防臭、防虫機能が無くなる前に液を自動的に供給する補充液タンク型ワントラップに関するものである。
【０００２】
【従来の技術】
従来、トイレや洗面所などの床面に設置される水封防臭式ワントラップ型排水機構は、環境的や作用的や管理的に問題が発生した場合の補助的安全保持機構などは施されておらず、特に防臭や防虫機能の安全に関する補助機構的技術は開発されていなかった。
【０００３】
【発明が解決しようとする課題】
従来のトイレや洗面所の水封防臭式ワントラップ型排水機構は補助的安全保持機構が施されていないため次の課題があった。
（イ）ワントラップ排水機構は水封防臭方式であるため、水が無くなった場合には防臭機能や防虫機能を果たさなくなり、特にトラップ皿の水溜部は上部が開口されており蒸発による乾燥を促進させるし、また水溜まり域のトラップ皿は構造的にもゴミなどの汚れが溜まりやすい部分であり、床面のゴミなどの異物が集積蓄積され溜まり水量を減少させており、乾燥作用により拍車をかけることになり水封防臭式の最大の問題であった。
（ロ）水封式ワントラップ排水口の機構や作用などを理解する人も少なく、水の補給を滞るなどの管理的問題も多かった。
【０００４】
【問題を解決するための手段】
いまその課題を解決するための構成を図面により説明すれば、
（イ）トイレや洗面所などの床面などに設置される水封防臭式ワントラップの防臭ワン２の上部を液体入れタンク構造として、その液体入れタンク４からトラップ皿６下部へ液体を供給する液体供給路５を有して、水封用の水が少なくなったら液体入れタンク４の液体供給路５からトラップ皿６へ自動的に液を補充する基本システムである。
（ロ）水封防臭式ワントラップ型排水機構において、防臭ワン２上部の液体入れタンク４から液体をトラップ皿６へ供給する液体供給路５を有し、液体供給路５下端の液体排出口位置は防臭ワン２の下端より若干上位置として、トラップ皿６の水が少なくなり水封機能が無くなる前に液体を供給可能とする位置とするし、液体入れタンク４の天井部には液体注入用の注入口とその密閉蓋３を有した構成である。
（ハ）液体供給路５の内径は、液体排出口がトラップ皿６の水中に位置する場合にはその水圧で液体入れタンク４内の液が排出されず保持できるし、水量が減少して液体排出口が水中より脱した場合には空気圧では保持できずトラップ皿６に夜を排出して水封作用を可能とする寸法構造である。
（ニ）液体供給路５の厚みはトラップ皿６と防臭ワン２の間隔を配慮した薄型寸法とする。
（ホ）補充液は水でもよいが、できれば芳香液や消臭液などとする。
【０００５】
【作用】
次に本発明の作用を述べると、
（イ）トイレなどの床面の清掃などで水洗いした水やゴミなどの異物は目皿１を通って防臭ワン２よりトラップ皿６に溜まり、溢れる水は排出口７から排水される作用であるため、水封用の水はトラップ皿６の下部に溜まり防臭や防虫の作用をなすものである。
（ロ）トラップ皿６の水が気化作用などにより減少し液体供給路５下端の排出口が水中を脱すると液体の保持力が失われて液体入れタンク４の液体は液体供給路５下端の排出口から排出してトラップ皿６の水を補充し水封機能を保持する作用である。
（ハ）液体入れタンク４の液体の補充は定期的に行うことも可能であり、密閉蓋３を開けて注入口から液を補充する作用であるし、液体入れタンク４に液を入れ密閉蓋３を閉めることにより液体供給路５下端の排出口がトラップ皿６の水中にある場合は水圧により液が排出口から排出されず液体入れタンク４内に保持されるし、トラップ皿６の水が減少して排出口が水中から脱すると液体入れタンク４内の液が液体供給路５を通って下端の排出口からトラップ皿６へ排出されて液を自動的に補充し水封機能を果たす作用である。
（ニ）液体入れタンク４の液体は芳香液や消臭液などとして、芳香液を入れれば液の補充時点で香を漂わせて快適な環境を提供できますし、また水封用の水が減っていることを知らせる警報的作用もなすものである。
【０００６】
【発明の実施の形態】
具体実施例を述べる、
（イ）液体入れタンク４に接続する液体供給路５を管やホースとする。
（ロ）目皿１と防臭ワン２がビス止め構造の場合にビス自体を密閉蓋３と共有する構成とする。
【０００７】
【発明の効果】
水封用液の自動補充による防臭、防虫作用により、より安全で快適な環境を保持できます。
具体的効果を列記すれば、
（イ）従来のワントラップ排水機構は構造的にも乾燥しやすいし、ゴミなどの異物が溜まりやすい構造であるため水封式防臭、防虫機構としては未だ不十分であったが、補充液タンク型ワントラップにより水到用の液を自動的に補充する構成であり水封式防臭、防虫効果を高めて、環境の安全性の向上に寄与します。
（ロ）液体入れタンク４の液体を芳香消臭液などとすれば液の補充時点で香を漂わせて快適な環境を提供できますし、またその香により水封用の水が減っていることを知らせる警報的効果もなすものであります。
【０００８】
トイレや洗面所などの環境的に汚染されやすい場所において、従来の構造的、管理的問題などを解決し、防臭や防虫作用の安全機構を確立できるため、汚染しやすい場所の生活環境を向上させ、明るく楽しい社会づくりに大きく貢献するものであります。
【図面の簡単な説明】
【図１】本発明の一部断面図を含む斜視図
【図２】本発明の中央断面図
【符号の説明】
１は目皿　　　　　　２は防臭ワン
３は密閉蓋　　　　　４は液体入れタンク
５は液体供給路　　　６はトラップ皿　　　　７は排水口
【図１】
2004132151.tif 000003
【図２】
2004132151.tif 000004